(57)【要約】【課題】販売と買い取りや貸し出しと返却というサービスに有効に活用できる記録メディアを提供する。【解決手段】記録メディア１のメディアベース１ａの表面には、識別情報部として非接触型のデータキャリア用ＩＣ７のチップ部７ａ並びにアンテナ部７ｂが設けてある。メディアベース１ａの表面を覆うカバー体８は、アンテナ部７ｂの一部を含み且つメディアベース１ａのセンターホール２を覆う略四角形の第１の領域８ａと、第１の領域８ａを除く略矩形枠状の第２の領域８ｂとを有し、メディアベース１ａに対する第１の領域８ａの接着強度が第２の領域８ｂの接着強度よりも弱く、第１の領域８ａがアンテナ部７ｂの一部とともにメディアベース１ａから分離して切り取り可能とされている。【選択図】        図１
2005063587.tif 000002
【特許請求の範囲】
【請求項１】
プログラムやデータが書き込まれる記録部を有する、ＣＤ−ＲＯＭ、ＣＤ−Ｒ、ＤＶＤ等の光学記録ディスクからなる記録メディアにおいて、中央にセンターホールを有し前記記録部が裏面側に形成された板状のメディアベースと、該メディアベースの表面側に設けられ各別な識別情報が書き込まれた識別情報部と、前記メディアベースの表面側に接着されるシート状のカバー体とを備え、該カバー体は、前記識別情報部の少なくとも一部を含み且つ前記記録部からプログラムやデータを読み出す際に取り除く必要がある第１の領域と、該第１の領域を除く第２の領域とを有し、前記第１の領域の接着強度が前記第２の領域の接着強度よりも弱く、前記第１の領域が前記識別情報部の少なくとも一部とともに前記メディアベースから分離可能とされてなることを特徴とする記録メディア。
【請求項２】
前記カバー体は、前記第１の領域と第２の領域の境界部分に切り目やＶ字状溝等の切り取り手段が形成されてなることを特徴とする請求項１記載の記録メディア。
【請求項３】
前記第１の領域は前記メディアベースのセンターホールを覆うことを特徴とする請求項１又は２記載の記録メディア。
【請求項４】
前記第１の領域の外形が円であることを特徴とする請求項１又は２又は３記載の記録メディア。
【請求項５】
前記第１の領域の外形が凹凸を有する多角形であることを特徴とする請求項１又は２又は３記載の記録メディア。
【請求項６】
前記第１の領域の一部が予め前記メディアベースから剥離されてなることを特徴とする請求項１〜５の何れかに記載の記録メディア。
【発明の詳細な説明】
【技術分野】
【０００１】
本発明は、ゲームプログラムや音楽データ等の販売と買い取りや、貸し出しと返却というサービスに用いられるＣＤ−ＲＯＭ、ＣＤ−Ｒ、ＤＶＤ等の光学記録ディスクからなる記録メディアに関するものである。
【背景技術】
【０００２】
公衆電話機等のプリペイドカードとしてＩＣカードが最近用いられている。このＩＣカードは使用したときにパンチ孔を穿孔したり、ＩＣカードの一部を切り取ることで使用／未使用を判別可能として不正使用などを防ぐようになっている（特許文献１）。
【０００３】
一方ＣＤ−ＲＯＭ、ＣＤ−Ｒ等の光学記録ディスクからなる記録メディアを販売あるいはあるいは貸し出し、購買者或いは借り出し者がこの記録メディアをパーソナルコンピュータ（以下パソコンと言う）のドライブ装置にかけることで、ゲームプログラムや音楽データの提供を受け、またデータの提供回数（使用回数）等によって所定の料金で記録メディアを買い取ったり、貸し出し料金を決定するサービスが最近提案されている。
【特許文献１】特開２０００−１８２０１５号公報
【発明の開示】
【発明が解決しようとする課題】
【０００４】
ところで、上記のＩＣカードは使用する機器が一般が広く有する機器ではなく、販売する会社が提供する機器であるため、上記のように汎用のパソコンのドライブ装置を利用する記録メディアを媒体とした上述のサービスには不適当であった。
【０００５】
つまりＣＤ−ＲＯＭやＣＤ−Ｒ等の光学記録ディスクは、汎用のパソコンに付設するドライブ装置を用いるため、上記のような孔を穿孔する手段がドライブ装置には備わっておらず、また一部を切り取る場合にはドライブ装置が正常に動作しない恐れがあった。
【０００６】
一方上記光学記録ディスクたる記録メディアには、販売業者（販売店）の識別情報（ＩＤ）を書き込む識別情報部や、使用状態（未使用／使用、使用回数）を確認するための手段が備わっていなかったため、上記のサービスに有効に活用できず、サービスに有効となる記録メディアが希求されていた。
【０００７】
本発明は、上述の点に鑑みて為されたもので、その目的とするところは販売と買い取りや貸し出しと返却というサービスに有効に活用できる記録メディアを提供することにある。
【課題を解決するための手段】
【０００８】
請求項１の発明は、上記目的を達成するために、プログラムやデータが書き込まれる記録部を有する、ＣＤ−ＲＯＭ、ＣＤ−Ｒ、ＤＶＤ等の光学記録ディスクからなる記録メディアにおいて、中央にセンターホールを有し前記記録部が裏面側に形成された板状のメディアベースと、該メディアベースの表面側に設けられ各別な識別情報が書き込まれた識別情報部と、前記メディアベースの表面側に接着されるシート状のカバー体とを備え、該カバー体は、前記識別情報部の少なくとも一部を含み且つ前記記録部からプログラムやデータを読み出す際に取り除く必要がある第１の領域と、該第１の領域を除く第２の領域とを有し、前記第１の領域の接着強度が前記第２の領域の接着強度よりも弱く、前記第１の領域が前記識別情報部の少なくとも一部とともに前記メディアベースから分離可能とされてなることを特徴とする。
【０００９】
この発明によれば、識別情報部に書き込まれた識別情報により、複製等の不正の発生率を抑制することができ、また記録部からプログラムやデータを読み出して使用するために第１の領域をメディアベースから分離すれば識別情報部の識別情報が読み取り不可となり当該メディアが使用済みのものか未使用のものかを判別することができ、その結果買い取り価格や貸し出し価格の決定が容易となり、販売と買い取りや貸与と返却というサービスに有効であり、しかも、カバー体の第１の領域の接着強度が第２の領域の接着強度よりも弱くしてあるから、第１の領域のみをメディアベースから容易に分離可能な記録メディアを提供できる。
【００１０】
請求項２の発明は、請求項１の発明において、前記カバー体は、前記第１の領域と第２の領域の境界部分に切り目やＶ字状溝等の切り取り手段が形成されてなることを特徴とする。
【００１１】
この発明によれば、カバー体の第１の領域の分離がさらに容易になる。
【００１２】
請求項３の発明は、請求項１又は２の発明において、前記第１の領域は前記メディアベースのセンターホールを覆うことを特徴とする。
【００１３】
この発明によれば、カバー体の第１の領域をメディアベースから分離することによって記録部のプログラムやデータの読み出しが可能となり使い勝手が向上する。
【００１４】
請求項４の発明は、請求項１又は２又は３の発明において、前記第１の領域の外形が円であることを特徴とする。
【００１５】
この発明によれば、分離されたカバー体の第１の領域を再度メディアベースに接着させる際の位置決めが困難であり、一度読み取り不可となった識別情報部の復元を防止することができる。
【００１６】
請求項５の発明は、請求項１又は２又は３の発明において、前記第１の領域の外形が凹凸を有する多角形であることを特徴とする。
【００１７】
この発明によれば、識別情報部におけるカバー体の第１の領域とともに分離される部分が複雑になり、一度読み取り不可となった識別情報部の復元を防止することができる。
【００１８】
請求項６の発明は、請求項１〜５の何れかの発明において、前記第１の領域の一部が予め前記メディアベースから剥離されてなることを特徴とする。
【００１９】
この発明によれば、予め剥離された部位を持って引っ張れば、カバー体の第１の領域が容易に分離できる。
【発明の効果】
【００２０】
本発明によれば、識別情報部に書き込まれた識別情報により、複製等の不正の発生率を抑制することができ、また記録部からプログラムやデータを読み出して使用するために第１の領域をメディアベースから分離すれば識別情報部の識別情報が読み取り不可となり当該メディアが使用済みのものか未使用のものかを判別することができ、その結果買い取り価格や貸し出し価格の決定が容易となり、販売と買い取りや貸与と返却というサービスに有効であり、しかも、カバー体の第１の領域の接着強度が第２の領域の接着強度よりも弱くしてあるから、第１の領域のみをメディアベースから容易に分離可能な記録メディアを提供できるという効果がある。
【発明を実施するための最良の形態】
【００２１】
以下本発明を実施の形態により説明する。
【００２２】
本実施形態は、図４に示すような光学記録ディスクである名刺型（円盤を含め通常のドライブ装置にかけることができればその他の形状でも良い）のＣＤ−ＲＯＭ、あるいはＣＤ−Ｒ，ＣＤ−Ｒ／Ｗ，ＤＶＤ−ＲＯＭ等の記録メディア１からなり、ポリカーボネート製のメディアベース１ａの一面（以下、「裏面」という）にはセンターホール２を中心として記録部３が設けられている。記録部３には、この記録メディア１を図５に示すようにインターネットＮＴに接続されているパソコン４の光学ドライブ装置４０に装着したときに、パソコン４で実行されているＯＳの制御の下でロードされて起動される立ち上がり用プログラムが記録されている。立ち上がり用プログラムは、インターネットＮＴ上に設けられたサービス提供業者のサーバ５上のゲームプログラムや音楽データをダウンロードするための操作プログラムを購入者（借り出し者）に提供するプログラムである。
【００２３】
さて、メディアベース１ａの記録部３と反対側の面（以下、「表面」という）には、図１〜図３に示すように非接触型でリード・ライタ（読み取り・書き込み手段）から送信される電波や電磁結合により電力供給を受け、メモリ部（図示せず）に書き込まれている識別情報（ＩＤ）を電磁結合や電波による無線信号をリード・ライタへ送信する非接触型のデータキャリア用ＩＣ７からなる情報識別部と、識別情報以外の各種の情報（例えば、購入者の氏名やサービス提供業者の名称など）をロイコ塗料を用いて書換自在に表示する表示部６とを上記記録部３のデータ読み取りの障害とならないように設けてある。
【００２４】
本実施形態で使用するデータキャリア用ＩＣ７は、信号処理の回路やメモリ部を集積したチップ部７ａと、このチップ部７ａを始点及び終点としてセンターホール２を囲むループ状に形成された通信用のアンテナ部７ｂとで構成されたもので、図２及び図３に示すようにメディアベース１ａの表面に粘着剤や接着剤で固定され、更にその上にシール、セロファンテープ、印刷塗料等からなるシート状のカバー体８で覆う構成となっている。このカバー体８は、アンテナ部７ｂの一部を含み且つメディアベース１ａのセンターホール２を覆う略四角形の第１の領域８ａと、第１の領域８ａを除く略矩形枠状の第２の領域８ｂとを有し、メディアベース１ａに対する第１の領域８ａの接着強度が第２の領域８ｂの接着強度よりも弱く、第１の領域８ａがアンテナ部７ｂの一部とともにメディアベース１ａから分離して切り取り可能とされている。すなわち、初期状態ではカバー体８の第１の領域８ａでセンターホール２が塞がれているために記録メディア１をパソコン４の光学ドライブ装置４０に装着して使用することができず、カバー体８における第１の領域８ａを第２の領域８ｂから切り離してメディアベース１ａと分離することにより、第１の領域８ａで覆われていたセンターホール２が開放されて記録メディア１をパソコン４の光学ドライブ装置４０に装着して使用することができるようになっている。
【００２５】
ここで、メディアベース１ａに対するアンテナ部７ｂの接着強度に比較してカバー体８（第１の領域８ａ）に対するアンテナ部７ｂの接着強度の方が強くなっており、第１の領域８ａをメディアベース１ａから分離した場合、図１（ｂ）、図２（ｂ）並びに図３（ｂ）に示すようにアンテナ部７ｂの一部が第１の領域８ａとともにメディアベース１ａから分離され、ループ状のアンテナ部７ｂが第１の領域８ａが取り除かれた箇所で断線することになる。すなわち、記録メディア１をパソコン４で使用するために第１の領域８ａを分離すれば、アンテナ部７ｂが断線してデータキャリア用ＩＣ７が使用不能となり、当該記録メディア１が使用済みのものか未使用のものかを判別することができる。
【００２６】
次に本実施形態の記録メディア１を用いたサービスの一例を説明する。
【００２７】
まず本実施形態の記録メディア１の販売業者（販売兼買い取り業者）あるいは貸し出し業者は、当該記録メディア１を販売あるいは貸し出す際に、リーダライタを用いて特有のアルゴリズムにより生成されたＩＤ（例えば、複数の英数字からなるもの）をデータキャリア用ＩＣ７のチップ部７ａに書き込む。尚、このＩＤは当該記録メディア１の固有の識別情報である。そして、第１の領域８ａを分離した当該記録メディア１をパソコン４の光学ドライブ装置４０に装着し、立ち上がり用プログラムがパソコン４で実行されれば、販売時あるいは貸し出し時に発行されたＩＤを上記サーバ５上の販売（貸し出し）のデータベースにインターネットＮＴを通じて登録する処理が行われ、以後当該記録メディア１の管理はサーバ５側で行われることになる。
【００２８】
而して当該記録メディア１を購入若しくは借り出した購入者（借り出し者）は、実際に使用する前に当該記録メディア１を通じて提供されるゲームプログラムや音楽が気に入らない場合には、第１の領域８ａを分離せずに当該記録メディア１をそのまま買い取り業者（販売兼買い取り業者）あるいは貸し出し業者の店舗の窓口へ持っていき、データキャリア用ＩＣ７のリーダが備わり、インターネットＮＴを通じて上記サーバ５に接続された自動処理機９に装着すると、自動処理機９が記録メディア１のデータキャリア用ＩＣ７に書き込まれたＩＤを読み取るとともに、読み取ったＩＤで特定される当該記録メディア１のサーバ５上のデータベースの記録データを読み出し、正規に販売若しくは貸し出されたものであるかを判断し、正規なものであれば、買い取り価格若しくは払い戻し価格が決定されて、その価格がディスプレ（図示せず）で提示された後、自動処理機９から現金が払い戻される（図５参照）。
【００２９】
この際サーバ５に備わった販売（貸し出し）の記録データを保存したデータベース上の当該記録メディア１の販売（貸し出し）データを自動修正して買い取った（返却された）ことを記録する。
【００３０】
一方記録メディア１により提供されるゲームや音楽が気に入った場合、購入者（借り出し者）は、上述のようにセンタホール２を覆っているカバー体８の第１の領域８ａをメディアベース１ａから切り取って分離し、パソコン４に付設されるドライブ装置４０に装着すれば、自動的に立ち上げ用プログラムが実行されることになる。
【００３１】
上記切り取りは記録メディア１の裏面側からセンタホール２に指を差し込んで第１の領域８ａを押せばよく、接着強度の弱い第１の領域８ａのみがメディアベース１ａから剥離して第２の領域８ｂとの境界部分でカバー体８が破れて第１の領域８ａが分離することになる。但し、カバー体８における第１の領域８ａと第２の領域８ｂの境界部分に切り目やＶ字状溝等の切り取り手段を形成すれば、第１の領域８ａの分離がさらに容易になる。また、第１の領域８ａの一部（例えば、何れかの角部）を予めメディアベース１ａから剥離しておけば、その部位を持って引っ張ることでカバー体８の第１の領域８ａが容易に分離できて望ましいものである。
【００３２】
さて上記立ち上げ用のプログラムが実行されると、パソコン４は通信部を用いインターネットＮＴを通じてサーバ５を呼び出して当該パソコン４との間の情報伝達路を確立させる一方、パソコン４のディスプレイの画面に当該記録メディア１に記されているＩＤの入力を要求する画面が表示される。この画面の指示に従って購買者（借り出し者）が記録メディア１の購入時（借り出し時）に知らされたＩＤをキーボードを用いて入力すると、パソコン４を通じて入力ＩＤがサーバー５へ送られ、サーバー５は、販売記録（貸し出し記録）のデータベースの記録データを検索して当該記録メディア１が販売若しくは貸し出し中であるか否かを判断し、販売若しくは貸し出し中の正規のメディアと認定すると、ゲームの場合であれば、所定のゲームプログラムをインターネットＮＴを通じてパソコン４へ送り、立ち上げ用プログラムの制御の下でダウンロードする。あるいは音楽の場合には所定の音楽データを同様にパソコン４にダウンロードする。
【００３３】
これにより購入者若しくは借り出し者はダウンロードされたゲームプログラムを実行してゲームを楽しむことができることになる。また音楽データの場合にはパソコン４に搭載されているマルチメディアソフトを通じて再生することで音楽を楽しむことができる。
【００３４】
さて購買者が使用後の記録メディア１を上記自動処理機９にかけて払い戻しを受けようとしても、すでにデータキャリア用ＩＣ７はその機能を働かせることができないため、自動処理機９はこれを検出して不正払い戻しであると判断し、払い戻しを行わない。従って不正な払い戻しを防止することができるのである。また不正に切り取り部位を接合してデータキャリア用ＩＣ７を復元しても、サーバ５のデータベースでは当該ＩＤの記録メディア１の使用済みが記録されているため、この場合も不正払い戻しと判断し、払い戻しは行われない。
【００３５】
ここで記録メディア１を１回使用の使い切りではなく、記録メディア１をパソコン４のドライブ装置４０にかけて上述の手順でサーバ５からプログラムやデータをダウンロードした回数をサーバ５で積算することで、使用回数に応じた料金が販売料金未満の場合に差額を払い戻すようにしても良い。また記録メディア１を貸し出すサービスの場合には使用回数を管理することで、貸し出し料金を決定するようにしても良い。
【００３６】
ところで、図１の場合にはカバー体８の第１の領域８ａにはデータキャリア用ＩＣ７のアンテナ部７ｂの一部のみが含まれるようになっているが、図６に示すようにアンテナ部７ｂの一部とともにチップ部７ａが含まれるようにして、第１の領域８ａが分離されたときにチップ部７ａもメディアベース１ａから分離されるようにしても構わない。
【００３７】
また、図１の場合にはカバー体８の第１の領域８ａの外形が略四角形となっているが、図７に示すような円形としたり、あるいは図８に示すような凹凸を有する多角形（例えば、星形）としてもよく、外形が略四角形である場合に比較して、分離されたカバー体８の第１の領域８ａを再度メディアベース１ａに接着させる際の位置決めが困難であり、一度読み取り不可となった識別情報部（データキャリア用ＩＣ７）の復元を防止することができる。尚、識別情報部は本実施形態のデータキャリア用ＩＣ７に限定されるものではなく、例えば、図９に示すようにカバー体８に印刷された二次元コード１０によって識別情報部を構成し、その二次元コード１０の少なくとも一部がカバー体８の第１の領域８ａに含まれるようにして、第１の領域８ａがメディアベース１ａから分離されると二次元コード１０の一部も第１の領域８ａとともに切り取られて識別情報の読み取りが不能となるようにしてもよい。
【図面の簡単な説明】
【００３８】
【図１】本発明の一実施形態の記録メディアを示す図であって、（ａ）は記録メディアの正面図、（ｂ）はカバー体の第１の領域を分離した記録メディア及び当該第１の領域の正面図である。
【図２】（ａ）は図１（ａ）のＸ−Ｘ’線断面矢視図、（ｂ）はカバー体の第１の領域を分離した状態のＸ−Ｘ’線断面矢視図である。
【図３】（ａ）は図１（ａ）のＹ−Ｙ’線断面矢視図、（ｂ）はカバー体の第１の領域を分離した状態のＹ−Ｙ’線断面矢視図である。
【図４】同上のＣＤ−ＲＯＭからなる記録メディアの背面図である。
【図５】同上の記録メディアを用いたサービス提供のシステムの概要構成図である。
【図６】同上のデータキャリア用ＩＣ７の別の配置例を示す図であって、（ａ）は記録メディアの正面図、（ｂ）はカバー体の第１の領域を分離した記録メディア及び当該第１の領域の正面図である。
【図７】同上のカバー体の第１の領域の別の形状を示す記録メディアの正面図である。
【図８】同上のカバー体の第１の領域のさらに別の形状を示す記録メディアの正面図である。
【図９】同上の識別情報部の別の形態を示す図であって、（ａ）は記録メディアの正面図、（ｂ）はカバー体の第１の領域を分離した記録メディア及び当該第１の領域の正面図である。
【符号の説明】
【００３９】
１  記録メディア
１ａ  メディアベース
７  データキャリア用ＩＣ７
７ａ  チップ部
７ｂ  アンテナ部
８  カバー体
８ａ  第１の領域
８ｂ  第２の領域
【図１】
2005063587.tif 000003
【図２】
2005063587.tif 000004
【図３】
2005063587.tif 000005
【図４】
2005063587.tif 000006
【図５】
2005063587.tif 000007
【図６】
2005063587.tif 000008
【図７】
2005063587.tif 000009
【図８】
2005063587.tif 000010
【図９】
2005063587.tif 000011